(57)【特許請求の範囲】
【請求項１】
ガラス製でなり、板状の底壁の外周から立設する側壁により上部に開口を形成し、該側壁の上端面が下方向に湾曲する湾曲部が複数箇所に形成され、前記湾曲部が形成された位置における前記側壁の厚みが、前記湾曲部が形成されていない位置における前記側壁の厚みよりも薄い容器本体と、
前記容器本体よりも軟質な材料により構成され、前記開口を覆うよう前記容器本体の前記側壁の上端面に当接する面が平坦に形成された蓋本体と
を有する調理用容器。
【請求項２】
前記容器本体は、略四角形状の底壁の一辺から立設する第１の側壁と、該一辺に対向する他辺から立設する第２の側壁とを有し、前記第１の側壁の上端面と、前記第２の側壁の上端面とのそれぞれには、ほぼ同一の大きさでなる複数の前記湾曲部が形成され、該第１の側壁の上端面に形成された湾曲部と、該第２側壁の上端面に形成された湾曲部とは、ほぼ対称に配置されている請求項１に記載の調理用容器。
【請求項３】
さらに前記容器本体の前記底壁に敷かれる中敷きを具備し、前記中敷きは軟質性の板部とこの板部から突設し前記底壁に当接する脚部を形成してなる請求項１または２に記載の調理用容器。
【請求項４】
前記中敷きは前記脚部が複数の畝状に設けられ、前記板部は前記脚部間に貫通孔が形成され、中敷取手が前記脚部が延びる方向の前記板部の端部に設けられている請求項３に記載の調理用容器。
【発明の詳細な説明】
【技術分野】
【０００１】
本発明は、容器本体内部の被調理品を加熱調理する調理用容器に関する。
【背景技術】
【０００２】
従来、容器本体に蓋をして容器本体内の被調理品を電子レンジにより加熱し蒸し調理する調理用容器が用いられている（例えば、特許文献１参照）。このような調理用容器においては、蓋本体により容器本体をある程度密閉することにより、蓋本体及び容器本体内の水蒸気を用いて被調理品を蒸し調理する。
【先行技術文献】
【特許文献】
【０００３】
【特許文献１】実用新案登録第３１６０１４３号公報
【発明の概要】
【発明が解決しようとする課題】
【０００４】
そのような調理用容器においては、蓋本体により容器本体を完全に密閉してしまうと、被調理品から発生した水蒸気の熱膨張により容器本体及び蓋本体内の内圧が上昇し、加熱調理中に蓋本体が容器本体から外れてしまうおそれがあるため、水蒸気を適度に外部に放出することが望ましい。
【０００５】
本発明は以上の点を考慮してなされたもので、格段と使い勝手を向上し得る調理用容器を提案しようとするものである。
【課題を解決するための手段】
【０００６】
かかる課題を解決するため本発明の調理用容器においては、ガラス製でなり、板状の底壁の外周から立設する側壁により上部に開口を形成し、該側壁の上端面が下方向に湾曲する湾曲部が複数箇所に形成され、前記湾曲部が形成された位置における前記側壁の厚みが、前記湾曲部が形成されていない位置における前記側壁の厚みよりも薄い容器本体と、前記容器本体よりも軟質な材料により構成され、前記開口を覆うよう前記容器本体の前記側壁の上端面に当接する面が平坦に形成された蓋本体とを設けるようにした。
【０００７】
この調理用容器は、蓋本体と容器本体との間に形成された間隙から、適度に水蒸気を外部に放出することができる。
【発明の効果】
【０００８】
本発明によれば、蓋本体と容器本体との間に形成された間隙から、適度に水蒸気を外部に放出することができる。かくして本発明は、使い勝手が良い調理用容器を実現できる。
【図面の簡単な説明】
【０００９】
【図１】調理用容器を前方から見た略線的側面図である。
【図２】調理用容器を右方から見た略線的側面図である。
【図３】容器本体及び中敷の構成（１）を示す略線的斜視図である。
【図４】蓋本体の構成を示す略線的斜視図である。
【図５】中敷の構成を示す略線的斜視図である。
【図６】容器本体及び中敷の構成（２）を示す略線的斜視図である。
【図７】他の実施の形態による容器本体及び中敷の構成（１）を示す略線的斜視図である。
【図８】他の実施の形態による中敷の構成を示す略線的図である。
【図９】他の実施の形態による中敷の構成を示す略線的図である。
【図１０】他の実施の形態による容器本体及び中敷の構成を示す略線的斜視図である。
【発明を実施するための形態】
【００１０】
本発明に係る調理用容器の実施の形態を図面を参照して説明する。この実施の形態は単なる例示であり、本発明はこれに限定されない。
【００１１】
＜実施の形態＞
図１乃至図３に示すように、調理用容器１は、上端に角丸長方形の開口部２０を有する略直方体の容器本体１０と、該容器本体１０の内部に敷かれる中敷１２と、該容器本体１０の開口部２０を塞ぐ蓋本体１４とにより構成されている。
【００１２】
調理用容器１は、中敷１２の上面に被調理品が載置され、容器本体１０に蓋本体１４が被せられた状態で電子レンジで加熱されることにより、被調理品を蒸し調理する用途に使用される。
【００１３】
容器本体１０は耐熱ガラス製でなり、横方向に長辺を有する角丸長方形の板状の底壁２２における前後左右の４辺から所定の厚みを有する側壁２４（前側壁２４ｆ、後側壁２４ｂ、左側壁２４ｌ及び右側壁２４ｒ）が底壁から立設することにより、上端に水平方向に沿った角丸長方形の開口部２０が形成されている。
【００１４】
左側壁２４ｌ及び右側壁２４ｒの上端面である左縁部２５ｌ及び右縁部２５ｒには、それぞれ左方向及び右方向に延びる容器取手２６が形成されている。このため使用者は、該容器取手２６を把持して容易に容器本体１０を持ち運ぶことができる。
【００１５】
前側壁２４ｆ及び後側壁２４ｂには、該前側壁２４ｆ及び後側壁２４ｂの外側面が、下側から上側に向かうに連れて容器本体１の内側へ向かって鱗形状に削り取られた薄肉部２８が左右方向に沿って複数個形成されている。
【００１６】
このため前側壁２４ｆ及び後側壁２４ｂは、下側から上側に向かうに連れて、薄肉部２８が形成されている部分の厚みが薄くなっている。
【００１７】
前側壁２４ｆ及び後側壁２４ｂの上端面である前縁部２５ｆ及び後縁部２５ｂには、それぞれの薄肉部２８の上部分がやや下方向に沈むように湾曲する湾曲部３０が形成されている。以下では、前縁部２５ｆ、後縁部２５ｂ、左縁部２５ｌ及び右縁部２５ｒをまとめて容器縁部２５とも呼ぶ。
【００１８】
このため容器本体１０の前縁部２５ｆ及び後縁部２５ｂには、上下方向に波打つような複数の凹凸が左右方向に沿って形成されている。
【００１９】
蓋本体１４はシリコーン製でなり、ドーム形状に形成され、水蒸気の逃がし孔を設けない構造となっている。
【００２０】
図４に示すように、蓋本体１４の下端部において該蓋本体１４の外周に沿って周回する周縁部３２は、平坦に形成され、容器本体１０の容器縁部２５と当接する。
【００２１】
蓋本体１４の周縁部３２の内側には、容器本体１０の開口部２０の広さよりもやや小さい広さで、リブ３４が周縁部３２に沿って立設している。
【００２２】
このためリブ３４は、該蓋本体１４が容器本体１０に載置された際に、該容器本体１０に対して蓋本体１４が横方向にずれて外れてしまうことを防ぐことができる。
【００２３】
また、蓋本体１４の内壁を流れてきた水滴がリブ３４に沿って容器本体１０内部に流れ落ちるため、蓋本体１４は、水滴を調理用容器１の外部に流出させないようにすることができる。
【００２４】
中敷１２は可撓性で蓋本体１４同様に軟質性樹脂例えばシリコーン製でなり、図３及び図５に示すように、容器本体１０の底壁２２よりもやや小さい大きさで横方向に長辺を有する板状でなる軟質の板部３６と、該板部３６から下方向に突設し容器本体の底壁に当接する脚部３８とにより構成されている。
【００２５】
板部３６（図５）の下側の面には、前後方向に所定間隔を空けて脚部３８が左右方向に沿うよう立設している。すなわち間隔をあけてほぼ平行に複数の畝状に形成される。
【００２６】
板部３６の脚部が延びる方向すなわち右端部には、中敷取手４０が形成されている。このため使用者は、図６に示すように、中敷取手４０を把持して容器本体１０から中敷１２を長辺方向である右方向に向かって容易に引き出すことができる。
【００２７】
これにより中敷１２は、被調理品があらかじめ蒸し調理用にためた水分や加熱調理されて発生した肉汁、脂、水分等の流動物に被調理品が直接接触しないようにすることができる。
【００２８】
また板部３６には、該板部３６を上下方向に貫通する貫通孔４２が該板部３６の全面に亘ってほぼ等間隔に穿設している。
【００２９】
このため中敷１２は、被調理品から発生した流動物を、貫通孔４２を通して容器本体１０の底壁２２に速やかに排出することができる。
【００３０】
また、畝状の脚部３８が上下方向に波打つように左右方向に沿って凸凹に形成されていることにより、脚部は底壁に多数の点状に接触する。このため、中敷１２は、容器本体１０の底壁２２に排出し水分を該底壁２２の一箇所に集まらないように、凹んだ部分を通して全面に亘ってほぼ均一に分布させることができる。これにより調理用容器１は、水分により、被調理品の一部分だけを加熱することなく、該被調理品を均一に蒸し調理することができる。
【００３１】
さらに、蒸し調理が終了した後、使用者が容器本体１０の底壁２２に溜まった肉汁、脂、水分等の流動物を容器本体１０外に捨て、調理用容器１を食卓のテーブルに置き、容器本体１０から中敷１２を引き出して取り除くことにより、耐熱ガラス製の容器本体１０のみをテーブルに置くことができ、食器としての見栄えを向上させることができる。
【００３２】
また、脚部３８が中敷１２の引き出し方向に沿って形成されているため、使用者は脚部３８を容器本体１０の容器縁部２５に引っ掛けることなく、中敷１２を容易に引き出すことができる。
【００３３】
ところで、仮に容器本体１０が中敷１２と同じシリコーン製であった場合、ガラスと比べて互いに軟質な素材であり、またシリコーンの表面の摩擦係数はガラスよりも大きいため、中敷１２が容器本体１０の容器縁部２５に引っかかり該容器本体１０から引き出しにくくなると考えられる。
【００３４】
これに対し本発明においては、容器本体１０をガラスで形成したため、使用者は、シリコーン製でなる中敷１２を容易に容器本体１０から引き出すことができる。
【００３５】
以上の構成において、容器本体１０の前縁部２５ｆ及び後縁部２５ｂの上端面には、左端部から右端部に亘って複数の湾曲部３０が形成されている。このため、蓋本体１４が容器本体１０に載置された際、該容器本体１０の前縁部２５ｆ及び後縁部２５ｂと、蓋本体１４の周縁部３２との間には、左右方向に等間隔に間隙が形成される。
【００３６】
このように、前縁部２５ｆにおける複数の湾曲部３０と、後縁部２５ｂにおける複数の湾曲部３０とは対称に形成されているため、前縁部２５ｆに形成された複数の間隙と、後縁部２５ｂに形成された複数の間隙とは、対称に配置されている。
【００３７】
これにより、加熱調理が行われる際、容器本体１０内部の水蒸気がそれぞれの間隙から放出されるため、水蒸気が容器本体１０内部の一箇所に留まったり、一部分からのみ外部に放出されたりすることがない。
【００３８】
このように、容器本体１０内部のそれぞれの間隙から水蒸気がほぼ均一に外部に放出されるため、調理用容器１は、被調理品の一部分のみを加熱してしまうことなく、全体に亘って均一に加熱調理することができる。
【００３９】
また、仮に容器本体１０に湾曲部３０が形成されておらず、該容器本体１０と蓋本体１４とが密閉されていた場合、被調理品から発生した水蒸気等の熱膨張により容器本体１０及び蓋本体１４の内部の内圧が上昇し、加熱調理中に蓋本体１４が容器本体１０から外れてしまうおそれがある。
【００４０】
逆に、湾曲部３０が大きく湾曲しており、容器本体１０と蓋本体１４との間隙が大きすぎる場合、被調理品から蒸発した水分が外部に放出され過ぎてしまい、被調理品が適切に蒸されなくなってしまう。
【００４１】
このため調理用容器１においては、被調理品が適切に蒸し調理され、且つ容器本体１０及び蓋本体１４の内部の内圧が上昇し過ぎない程度となる大きさの間隙を設けるようにした。
【００４２】
また容器本体１０は製造される際、前側壁２４ｆ及び後側壁２４ｂに薄肉部２８が形成されるようにガラスがプレス成形された後、プレス成型により形成されたエッジ部を除去するために容器縁部２５が炎により炙られる。このとき、薄肉部２８の上端部はガラスの厚みが薄くなっているため、沈むように変形し、湾曲部３０が波状に形成される。
【００４３】
このように容器本体１０においては、所定の厚みを有する前側壁２４ｆ及び後側壁２４ｂに薄肉部２８を設けることによりデザイン性を向上させつつ、該薄肉部２８が形成された容器本体１０を加熱するだけで湾曲部３０を形成することができるため、前縁部２５ｆ及び後縁部２５ｂを凹凸に削るような工程が必要なく、作業工程を簡略化することができる。
【００４４】
また蓋本体１４が、ガラスよりも軟質な材料でなるシリコーンにより形成されているため、容器本体１０及び蓋本体１４内に充満した水蒸気の熱膨張により、蓋本体１４の周縁部３２が広がるよう変形する。これにより調理用容器１は、蓋本体１４と容器本体１０との隙間から水蒸気を外部に放出させやすくすることができる。
【００４５】
＜他の実施の形態＞
なお上述した実施の形態においては、前縁部２５ｆ及び後縁部２５ｂに湾曲部３０を設け、左縁部２５ｌ及び右縁部２５ｒには、湾曲部３０を設けない場合について述べたが、これに限らず、図７に示す容器本体１１０のように、左縁部２５ｌ及び右縁部２５ｒにも湾曲部３０を設けるようにしてもよい。
【００４６】
この場合、前縁部２５ｆ及び後縁部２５ｂに加え、左縁部２５ｌ及び右縁部２５ｒと蓋本体との間隙からも水蒸気が調理用容器の外部に放出されるため、より一層被調理品を均一に加熱調理することができる。
【００４７】
また上述した実施の形態においては、側壁２４の外側面に薄肉部２８を形成する場合について述べたが、これに限らず、側壁２４の外側面に薄肉部２８を形成せずに平坦にし、前縁部２５ｆ及び後縁部２５ｂに湾曲部３０を刻設してもよい。
【００４８】
さらに上述した実施の形態においては、中敷１２の板部３６における下側の面に、左右方向に沿うよう脚部３８を立設する場合について述べたが、これに限らず、図８に示す中敷２１２のように、脚部２３８が前後方向に沿って立設していてもよい。
【００４９】
また図９に示す中敷３１２のように、脚部２３８が前後方向に沿って立設すると共に、中敷取手３４０が後端部から後方向に延びるように形成されていてもよい。この場合使用者は、該中敷取手３４０を把持して容器本体から中敷３１２を短辺方向である後方向に向かって容易に引き出すことができる。
【００５０】
さらに上述した実施の形態においては、底壁２２が略長方形でなる容器本体１０について述べたが、これに限らず、図１０に示すように容器本体４１０を円形の開口部及び底壁を有する円筒形状とし、中敷４１２を該容器本体４１０の形状に対応した円板状としてもよい。また、図示していないが底壁２２が楕円板状や正方形状としてもよい。
【００５１】
この場合、容器本体４１０においては、左端部及び右端部の上端には、それぞれ左方向及び右方向に延びる容器取手４２６が形成され、容器本体４１０の縁部４２５のうち、該容器取手４２６を除いた部分に湾曲部４３０が形成されている。
【００５２】
さらに上述した実施の形態においては、蓋本体１４及び中敷１２をシリコーンにより形成する場合について述べたが、これに限らず、例えばガラスや耐熱性樹脂（ポリプロピレン等）等により形成してもよい。さらに湾曲部３０は、容器縁部２５において少なくとも２つ設けられていればよい。
【符号の説明】
【００５３】
１，１０１…調理用容器、１０，１１０，４１０…容器本体、１２，２１２，４１２…中敷、１４…蓋本体、２０…開口部、２２…底壁、２４…側壁、２５…容器縁部、２６，４２６…容器取手、２８…薄肉部、３０…湾曲部、３２…周縁部、３４…リブ、３６…板部、３８…脚部、４０，３４０…中敷取手、４２…貫通孔。
【図１】
0005864218.tif 000002
【図２】
0005864218.tif 000003
【図３】
0005864218.tif 000004
【図４】
0005864218.tif 000005
【図５】
0005864218.tif 000006
【図６】
0005864218.tif 000007
【図７】
0005864218.tif 000008
【図８】
0005864218.tif 000009
【図９】
0005864218.tif 000010
【図１０】
0005864218.tif 000011